(57)【要約】【課題】後側スプリングの位置決めが容易で且つレンズ支持体の内径を大きくとることができるレンズ駆動装置、カメラ及びカメラ付き携帯電話の提供を提供する。【解決手段】本発明のレンズ駆動装置１において、後側スプリング１１は環状の内周側部１１ａと、環状の外周側部１１ｂと、腕部１１ｃとを有してヨーク３に対してレンズ支持体７を光軸方向に移動自在に支持しており、コイル１５に通電して生じる電磁力によりレンズ支持体７をレンズの光軸方向に移動しており、レンズ支持体７の光軸方向後側端面には、後側に向けて突設した係合突部４０が設けてあり、後側スプリングの内周側部１１ａには、係合突部４０が挿入される係合孔４６が設けてあり、係合突部４６を後側スプリングの係合孔４６に挿通して固定してある。【選択図】図１
2009080217.tif 000002
【特許請求の範囲】
【請求項１】
環状のヨークと、ヨークに設けたマグネットと、ヨークの内周側に配置され且つ外周にコイルが固定されたレンズ支持体と、レンズ支持体の光軸方向前側に設けた前側スプリングと、レンズ支持体の光軸方向後側に設けた後側スプリングと、筐体とを備え、後側スプリングは環状の内周側部と、環状の外周側部と、内周側部と外周側部とを連結する複数の腕部とを有し、内周側部をレンズ支持体の光軸方向後側端面に配置し且つ外周側部を筐体部に固定してあり、ヨークに対してレンズ支持体を光軸方向に移動自在に支持しており、コイルに通電して生じる電磁力によりレンズ支持体をレンズの光軸方向に移動するレンズ駆動装置であって、
レンズ支持体の光軸方向後側端面には、後側に向けて突設した係合突部が設けてあり、後側スプリングの内周側部には、係合突部が挿入される係合孔が設けてあり、レンズ支持体の係合突部を後側スプリングの係合孔に挿通して固定していることを特徴とするレンズ駆動装置。
【請求項２】
コイルの一端部は、レンズ支持体の係合突部に係合して後側スプリングの内周側面に導電性接着剤で接続してあり、後側スプリングに電力を供給してコイルに通電していることを特徴とする請求項１に記載のレンズ駆動装置。
【請求項３】
レンズ支持体の光軸方向後側面には、熱硬化性接着剤の接着剤溜め凹部が形成してあり、凹部の開口に後側スプリングの内周側面を対向配置して、凹部に溜めた熱硬化性接着剤で、レンズ支持体とスプリングの内周側部とを接着してあることを特徴とする請求項１に記載のレンズ駆動装置。
【請求項４】
接着剤溜め凹部に対向する後側スプリングの内周側面には、スリットが形成してあることを特徴とする請求項３に記載のレンズ駆動装置。
【請求項５】
請求項１〜４の何れか一項に記載のレンズ駆動装置を備えることを特徴とするカメラ。
【請求項６】
請求項５に記載のカメラを搭載したことを特徴とするカメラ付き携帯電話。
【発明の詳細な説明】
【技術分野】
【０００１】
本発明は、小型カメラのレンズ駆動装置、そのレンズ駆動装置を搭載したカメラ及びカメラ付き携帯電話に関する。
【背景技術】
【０００２】
この種のレンズ駆動装置において、特許文献１には、レンズ支持体の光軸方向前側に前側スプリングを取付け、後側に後側スプリングを取付け、後側スプリングは環状の外周側部と環状の内周側部とを有し、内周側部と外周側部とを腕部で連結する構成が開示されている。
【０００３】
この特許文献１では、後側スプリングの内周側部とレンズ支持体との固定について詳細に開示されていないが、レンズ支持体の後端面に内周壁を設けて内周壁の外周に後側スプリングの内周側部を配置し、レンズ支持体の後端面と後側スプリングの内周側部との間に注入した熱硬化接着剤で、後側スプリングの内周側部とレンズ支持体とを固定している。
【０００４】
【特許文献１】特開２００６−２５１４６１号公報
【発明の開示】
【発明が解決しようとする課題】
【０００５】
しかし、特許文献１の技術では、レンズ支持体の後端部に後側スプリングの内周側部を配置するときに、レンズ支持体の後端部に対して後側スプリングの内周側部の周方向における位置決めがし難いという問題がある。
【０００６】
また、レンズ支持体の後端部に内周壁を設けてその外周囲に後側スプリングの内周側部を配置しているので、レンズ支持体は内周壁の厚み分、内径が小さくなる（レンズ径が制約される）という問題がある。
【０００７】
そこで、本発明は、後側スプリングの位置決めが容易で且つレンズ支持体の内径を大きくとることができるレンズ駆動装置、カメラ及びカメラ付き携帯電話の提供を目的とする。
【課題を解決するための手段】
【０００８】
請求項１に記載の発明は、環状のヨークと、ヨークに設けたマグネットと、ヨークの内周側に配置され且つ外周にコイルが固定されたレンズ支持体と、レンズ支持体の光軸方向前側に設けた前側スプリングと、レンズ支持体の光軸方向後側に設けた後側スプリングと、筐体とを備え、後側スプリングは環状の内周側部と、環状の外周側部と、内周側部と外周側部とを連結する複数の腕部とを有し、内周側部をレンズ支持体の光軸方向後側端面に配置し且つ外周側部を筐体部に固定してあり、ヨークに対してレンズ支持体を光軸方向に移動自在に支持しており、コイルに通電して生じる電磁力によりレンズ支持体をレンズの光軸方向に移動するレンズ駆動装置であって、レンズ支持体の光軸方向後側端面には、後側に向けて突設した係合突部が設けてあり、後側スプリングの内周側部には、係合突部が挿入される係合孔が設けてあり、レンズ支持体の係合突部を後側スプリングの係合孔に挿通して固定していることを特徴とする。
【０００９】
請求項２に記載の発明は、請求項１に記載の発明において、コイルの一端部は、レンズ支持体の係合突部に係合して後側スプリングの内周側面に導電性接着剤で接続してあり、後側スプリングに電力を供給してコイルに通電していることを特徴とする。
【００１０】
請求項３に記載の発明は、請求項１に記載の発明において、レンズ支持体の光軸方向後側面には、熱硬化性接着剤の接着剤溜め凹部が形成してあり、凹部の開口に後側スプリングの内周側面を対向配置して、凹部に溜めた熱硬化性接着剤で、レンズ支持体とスプリングの内周側部とを接着してあることを特徴とする。
【００１１】
請求項４に記載の発明は、請求項３に記載の発明において、接着剤溜め凹部に対向する後側スプリングの内周側面には、スリットが形成してあることを特徴とする。
【００１２】
請求項５に記載の発明は、請求項１〜４の何れか一項に記載のレンズ駆動装置を備えることを特徴とするカメラである。
【００１３】
請求項６に記載の発明は、請求項５に記載のカメラを搭載したことを特徴とするカメラ付き携帯電話である。
【発明の効果】
【００１４】
請求項１に記載の発明によれば、レンズ支持体の後端面に形成した係合突部に、後側スプリングの内周側部の係合孔を挿入することにより、レンズ支持体の後端面に対する後側スプリング内周側部の位置決めが容易にできる。特に、後側スプリング内周側部における周方向及び径方向の２次元の位置決めがし易い。
【００１５】
係合突部は支持体の後端面に設けて後端面にスプリングの内周側部を係合しているので、レンズ支持体の外周にスプリングの内周側部を配置する従来に比較して、レンズ支持体の内径を大きくとることができる（換言すれば、レンズ径を大きくすることができる）。
【００１６】
請求項２に記載の発明によれば、請求項１に記載の作用効果を奏することができると共に、コイルの一端部を後側スプリングに接続するときにコイルの一端部を係合突部に係合しているので、コイルの一端部を後側スプリングに安定に保持できるから、これにより接着剤による接着が可能となった。
【００１７】
また、コイルとスプリングとの接続を導電性接着剤で行っているので、従来のはんだ付けによる接続に比較して、はんだに含まれているフラックスの飛散等がなく、フラックスが飛散して周囲部へ固着する等の悪影響を防止できる。また、はんだ付けには熟練を要するが接着剤による接着には熟練を必要としないので、容易に製造でき且つ製品歩留まりを高めることができる。
【００１８】
請求項３に記載の発明によれば、請求項１に記載の作用効果を奏することができると共に、熱硬化接着剤をレンズ支持体の接着剤溜め凹部に注入して、後側スプリングの内周側部を接着剤溜め凹部を閉じるように対向配置して加熱（炉に入れる）すれば良いので、製造が容易にできる。また、接着剤溜め凹部を設けることにより接着剤が過熱により軟化したときに、周囲に接着剤が食み出すのを防止できる。
【００１９】
請求項４に記載の発明によれば、請求項３に記載の作用効果を奏すると共に、加熱により熱硬化性接着剤の粘性が低下したときに、余分な接着剤をスリットから後側スプリングの内周側部の表面に逃すことができ、レンズ支持体の後端面の内周側や外周側への流出を防止できる。即ち、レンズ支持体の内周側に流れ出るとレンズに悪影響を与え、外周側に流れ出るとスプリングの腕部等の周囲部に付着して機能を損なうおそれがあるが、後側スプリングの内周部の後側面に流れ出れば内周側部の面に沿って広がるだけで、周囲に与える影響が少ない。
【００２０】
請求項５に記載の発明によれば、請求項１〜４の何れか一項に記載の作用効果を奏するカメラを提供できる。
【００２１】
請求項６に記載の発明によれば、請求項５に記載の作用効果を奏するカメラ付き携帯電話を提供できる。
【発明を実施するための最良の形態】
【００２２】
以下に、添付図面の図１〜１０を参照して本発明の実施の形態を説明する。図１は本発明の実施の形態に係るレンズ駆動装置における後側スプリングの内周側部とコイルとの接続部分を抜き出して示す斜視図であり、（ａ）は係合突部にコイルの一端を巻き付けた状態を示し、（ｂ）はコイルの一端部を導電性接着剤で後側スプリングの内周側部に接着した状態を示し、図２は本発明の実施の形態に係るレンズ支持体と、後側スプリングを抜き出して示す分解斜視図であり、図３は本発明の実施の形態に係るレンズ支持体に後側スプリングを取付けた状態の斜視図であり、図４は本発明の実施の形態に係るレンズ支持体と、前側スプリング及び後側スプリングを抜き出して示す分解斜視図であり、図５はレンズ支持体におけるキャリアとレンズバレルとが嵌め合う前の状態を示す側面図であり、図６はレンズ支持体の分解斜視図であり、図７の（ａ）（ｂ）は、各々異なる方向から見たレンズ支持体の斜視図であり、（ｃ)（ｄ）は各々レンズバレルを異なる方向から見た斜視図であり、図８はレンズ駆動装置にレンズバレルを組み付ける前の状態を示す斜視図であり、図９はレンズ駆動装置の分解斜視図であり、図１０はレンズ駆動装置の断面図である。尚、各図においては、説明を分かり易くする為、レンズを省略して示すか或いはレンズ部分は二点鎖線２で示している。
【００２３】
本実施の形態に係るレンズ駆動装置１は、携帯電話に組み込まれるオートフォーカスカメラのレンズ駆動装置である。このレンズ駆動装置１は、図９及び図１０に示すように、環状のヨーク３と、キャリア８と、前側スプリング９と、後側スプリング１１と、ヨーク３の後側に配置される後側筐体部（筐体）５と、ヨーク３の前側に配置される前側筐体部（筐体）６と、レンズバレル４とを備えており、図４に示すように、キャリア８とレンズバレル４とでレンズ支持体７を構成している。レンズ支持体７のキャリア８には、外周にコイル１５（図２、図９及び図１０参照）が固定されている。また、図９に示すように、ヨーク３と後側スプリング１１との間には絶縁体（スペーサ）１７が配置されている。このレンズ駆動装置１は、縦横が約１０ｍｍ、高さが約３．５ｍｍで非常に小さいものである。
【００２４】
ヨーク３は前側から見て外周が平面視四角形であり、内周が平面視円形になっており、図１０に示すように、外周壁３ａと、内周壁３ｂと、外周壁３ａと内周壁３ｂとを連結する連結壁３ｃとからなり、外周壁３ａと内周壁３ｂと連結壁３ｃとで断面がコ字形状又はＵ字形状を成している。
【００２５】
図９に示すように、ヨーク３の各角部１４において、外周壁３ａの内周面にはマグネット１３が固定されている。マグネット１３は、角部１４のみに設けてあり、内周壁３ｂに形成された切除部１２に対応する位置にはない。
【００２６】
レンズ支持体７は、ヨーク３の内周側を光軸方向（前後方向）に移動自在に設けられている。このレンズ支持体７は、図４に二点鎖線２で示すように、レンズ２を内周側に収納したレンズバレル４と、レンズバレル４を嵌合固定するキャリア８とから構成されている。
【００２７】
図４〜図７に示すように、レンズバレル４は、円環状の基板２１と、基板２１の外周沿って互いに間隔をあけて設けた複数の側壁（一方側壁）２３を備えており、レンズ２の外周縁が一方側壁２３の内周面に固定されており、基板２１の中央穴は受光孔となっている。
【００２８】
図６に示すように、各一方側壁２３は、基板２１の外周縁２１ａに内周面２３ａが位置し且つ基板２１から光軸方向後側に向けて延出している。
【００２９】
図４〜図６に示すように、一方側壁２３は、周方向の一側部に周方向に突設した嵌合凸部２５を有している。
【００３０】
尚、レンズバレル４において、基板２１の前側には、組み付け時に把持する為の把持部４ｃが設けてある（図５及び図７参照）。
【００３１】
図６に示すように、キャリア８は環状のフランジ２７と、フランジ２７の内周縁２７ａに外周面を一致させた他方側壁２９とを有している。他方側壁２９はフランジ２７からレンズバレル４の基板２１に向けて突出しており且つ隣り合う他方側壁２９、２９間の間隔はレンズバレル４の一方側壁２３の周方向の幅（凸部２５を含む）と略同等の寸法になっている。
【００３２】
他方側壁２９において、周方向の側部には、一方側壁の嵌合凸部２５と嵌合する嵌合凹部（被嵌合部）３１が形成されている。一方側壁２３の嵌合凸部２５と他方側壁２９の嵌合凹部３１とにより、キャリア８の他方側壁２９、２９間にレンズバレル４の一方側壁２３を挿入してわずかに（数度）回動することにより一方側壁２３の嵌合凸部２５と他方側壁２９の嵌合凹部３１とが嵌合固定するようになっている。
【００３３】
図４に示すように、他方側壁２３の前側端には前側スプリング９の位置決め凹部３９に嵌合する位置決め突部３３が前側に突設している。尚、一方側壁２３と他方側壁２９との厚みは、本実施の形態では略同一である。
【００３４】
また、図７に示すように、レンズバレル４をキャリア８に組み付けた状態では、レンズバレル４の一方側壁２３の内周面及び外周面は各々、キャリア８における他方側壁２９の内周面及び外周面と面一になっている。
【００３５】
レンズ支持体７において、キャリア８の外周に設けたコイル固定部２２（図７及び図１０参照）には環状のコイル１５が接着剤により固定される。
【００３６】
図１０に示すように、コイル１５は、ヨーク３の外周壁３ａと内周壁３ｂとの間に配置するが、マグネット１３がある角部１４ではマグネット１３と内周壁３ｂとの間に位置し、レンズ支持体７と共にヨーク３内を前後方向に移動するようになっている。
【００３７】
図４に示すように、前側スプリング９は外周形状が平面視四角形の環状の板ばねであり、内周側部９ａと外周側部９ｂとが設けてあり、内周側部９ａの内周縁には位置決め凹部３９が形成してありキャリアの他方側壁２９の前端に設けた突部３３に係合してレンズ支持体７に取付けてあり、外周側部９ｂはヨーク３と前側筐体部６との間に挟持して固定されている。内周側部９ａと外周側部９ｂとは弾性変形可能な腕部９ｃにより連結してある。
【００３８】
図４及び図９に示すように、後側スプリング１１は、全体として環状の板ばねであるが、本実施の形態では、左右に分割した一方側部３０と他方側部３２とから構成されている。後側スプリング１１の各外周側部１１ｂ、１１ｂは、絶縁体（図９参照）１７を介して後側筐体部５とヨーク３との間に挟持されており、絶縁体１７は後側スプリング１１とヨーク３との間の電気的絶縁を図っている。各内周側部１１ａ、１１ａは、キャリア８のフランジ部２７の後端面２７ａに固定してある。後側スプリング１１の各内周側部１１ａと外周側部１１ｂとは弾性変形可能な腕部１１ｃにより連結してある。尚、図４において、後側スプリング１１には、枠３８が取付けてあり、枠３８は後側スプリング１１をレンズ支持体７に組み付け後切除するものである。
【００３９】
ここで、図１〜図６を参照して、レンズ支持体７と後側スプリング１１の内周側部１１ａとの固定について説明する。レンズ支持体７の光軸方向後端面２７ａには、その周方向には略等間隔の４箇所に係合突部４０が後側に向けて突設されており、各係合突部４０は、フランジ部２７の内周縁と外周縁との間の中間位置にある。尚、本実施の形態では、４つの係合突部４０のうちの一つが他よりも径の大きな係合突部４０ａになっている。
【００４０】
また、各係合突部４０の近傍には、接着剤溜め用凹部４１が形成されている。レンズ支持体７の後側端面２７ａにおいて、略１８０度離れた位置で、後端面２７ａを２分するように突設するのは、後側スプリング１１の一方側部３０と他方側部３２とを分割して保持する絶縁突起４２である。
【００４１】
一方、後側スプリング１１の内周側部１１ａには、各係合突部４０が挿入される円形状の係合孔４６が形成されており、レンズ支持体７の各係合突部４０を後側スプリング１１の係合孔４６に挿通して位置決めするようになっている。尚、本実施の形態では、４つの係合孔４６のうち一つを大径の係合突部４０ａに対応して大径の係合孔４６ａとしてあり、レンズ支持体７に対する後側スプリング１１の取付け位置を特定の位置にするようにしてある。
【００４２】
また、後側スプリング１１の内周側部１１ａには、係合孔４６の隣に面積を広くした接着部４７が形成してあり、この接着部４７は接着剤溜め用凹部４１の開口を塞ぐように配置されており、接着剤溜め用凹部４１に注入した接着剤が熱により粘度低下したときに流れ出してレンズ支持体７の後端面と接着部４７との間を接着するようになっている。
【００４３】
尚、後側スプリング１１の内周側部１１ａにおいて、接着部４７には、スリット４８が形成してあり、余分な接着剤をスリットから接着部４７の表面側に逃すようになっている。
【００４４】
後側スプリング１１の一方側部３０と他方側部３２とには、各々コイル１５の一端が導電性接着剤４９により電気的に接続されており、後側スプリング１１からコイル１５に通電するようになっている。
【００４５】
コイル１５の一端部１５ａは、図１（ａ）に示すように、後側スプリング１１の内周側部１１ａに挿通した状態で、係合突部４０に一周巻いて係合させた後、図１（ｂ）に示すように、導電性接着剤４９で後側スプリングの内周側部１１ａに接着固定している。
【００４６】
尚、本実施の形態では、後側スプリング１１を構成する一方側部３０には端子４３が形成されており、他方側部３２には端子４５が形成されて各端子４３、４５が電源供給端子に接続されるようになっている。
【００４７】
次に、本発明の実施の形態に係るレンズ駆動装置１の組立て、作用及び効果について説明する。レンズ駆動装置１の組立ては、後側筐体部５に後側スプリング１１、スペーサ１７、マグネット１３を内部に固定したヨーク３、コイル１５を固定したキャリア８、前側スプリング９及び前側筐体部６を組み付ける。キャリア８（レンズ支持体７）の後側端に設けた係合突部４０を後側スプリングの係合孔４６に挿入してキャリア８と後側スプリング１１を係止する。そして、図１に示すように、コイル１５の一端部１５ａは、コイルの被服材を除去した後、係合突起４０に一回又は数回巻きつけた後、コイル１５の一端部１５ａを導電性接着剤４９で係合孔４６の周囲部に接着固定する。
【００４８】
尚、キャリア８（レンズ支持体７）の接着剤溜め用凹部４１には、後側スプリング１１を取り付ける前に熱硬化接着剤を注入しておく。
【００４９】
その後、各部の必要箇所に熱硬化接着剤を注入した後、炉に入れて接着剤を熱硬化させた後、図８に示すように、レンズバレル４を前側筺体６側からキャリア８に挿入して嵌合固定する。
【００５０】
レンズバレル４の嵌合固定は、図５及び図６に示すように、キャリア８の他方側壁２９、２９間にレンズバレル４の一方側壁２３を挿入し、挿入後にレンズバレル４をキャリア８に対して回動することより、図７（ａ）（ｂ）に示すように、他方側壁の嵌合凹部３１にレンズバレル４の嵌合凸部２５が嵌合固定される。
【００５１】
この実施の形態によれば、レンズバレル４は、レンズの光軸方向に沿ってキャリア８に挿入し、キャリア８の他方側壁２９、２９間にレンズバレル４の一方側壁２３を挿入し、一方側壁２３の嵌合凸部２５と他方側壁２９の嵌合凹部３１とを対向配置する。次にレンズバレル４を所定角度（数度）回動して、一方側壁２３の嵌合凸部２５を他方側壁２９の嵌合凹部３１に嵌合することにより、キャリア８にレンズバレル４を嵌合固定するから、レンズバレル４を従来のように一回転（３６０度）以上回して装着することがないのでレンズ駆動装置１の組立てが容易である。
【００５２】
レンズバレル４の一方側壁２３やキャリア８の他方側壁２９に、従来のようなねじ溝を形成しないので、これらの周壁２３、２９の肉厚を小さくでき、レンズ支持体７の外径が従来と同じ寸法の設計でありながら、レンズ２の径を従来よりも大きくできる。レンズ径を大きくすることにより、画素数の大きなイメージセンサに対応することができる。イメージセンサは、レンズの結像位置に設けて、受けた画像を画像信号に変換するものである。
【００５３】
更に、レンズバレル４の一方側壁２３はキャリア８の他方側壁２９、２９の間に配置されるから、一方側壁２３と他方側壁２９とに径方向の重なりがないので、その分レンズ径を大きくすることができる。
【００５４】
キャリア８にコイル１５を接着固定して、その周囲にマグネット１３等を配置してキャリア８を光軸方向に駆動するレンズ駆動装置１では、コイル１５やスプリング９、１１等に不具合が生じた場合に、レンズバレル４とキャリア８との嵌合を外すことにより、レンズバレル４のみを前側から取り出して再利用したり又はレンズ２に不具合がある場合には他のレンズバレル４と交換して用いることができる。
【００５５】
レンズ支持体７の後端面２７に形成した係合突部４０を、後側スプリング１１の内周側部１１ａの係合孔部４６に挿入することにより、後側スプリング１１をレンズ支持体７の後端面に取付けできるので、位置決めが容易にできる。
【００５６】
しかも、係合孔部４６に係合突部４０を挿入して位置決めするので、２次元（平面）における位置決めができる。
【００５７】
係合突部４０は、レンズ支持体７の後端面２７に設けているので、レンズ支持体７の内周縁に内周側壁を設ける従来に比較して、レンズ支持体の内径を大きくとることができ、換言すれば、レンズ径を大きくすることができる。
【００５８】
コイル１５の一端部１５ａを後側スプリング１１に接続するときに、コイルの一端部１５ａを係合突部４０に係合しているので、コイル１５の一端部１５ａを後側スプリング１１に安定に保持でき、接着剤による接着が可能となったものである。
【００５９】
また、コイル１５と後側スプリング１１との接続を導電性接着剤４９で行っているので、従来のはんだ付けによる接続に比較して、はんだに含まれているフラックスの飛散等がなく、フラックスが飛散して周囲部へ固着する等の悪影響を防止できる。また、はんだ付けは熟練を要したが、係る熟練を必要としないので、容易に製造でき且つ製品歩留まりを高めることができる。
【００６０】
レンズ支持体７と後側スプリング１１とを接着する接着剤はレンズ支持体７の接着剤溜め凹部４１に注入して、後側スプリング１１の内周側部１１ａを接着剤溜め凹部４１を覆うように対向配置すれば良いので、製造が容易にできる。また、接着剤の注入時における接着剤の食み出しを防止できる。
【００６１】
加熱により熱硬化性接着剤の粘度が低下したときに余分な接着剤をスリット４８から後側スプリング１１の内周側部１１ａの表面に逃すことにより、レンズ支持体７の後端面２７の内周側や外周側への流出を防止し、レンズ支持体７の内周側に流れ出てレンズに悪影響を与えたり外周側に流れ出て後側スプリング１１の腕部１１ｃ等の周囲部に付着してその機能を損なうことを防止できる。即ち、本実施の形態では、接着剤は後側スプリング１１の内周側部１１ａの後側面に流れ出るだけなので、周囲に与える影響を少なくできる。
【００６２】
本発明は、上述した実施の形態に限らず、本発明の要旨を逸脱しない範囲で種々変形可能である。
【００６３】
例えば、後側スプリング１１は一方側部３０と他方側部３２とに分離したものに限らず、一体になっているものであって良い。
【００６４】
係合突部４０は、円柱、円錐台、半球状に限らず、四角柱等の多角柱形状であっても良く、その係合は制限されない。
【００６５】
係合突部４０にはその一部に切欠きや溝を設けて、コイル１５の一端部を切欠きや溝に係止するようにしても良い。
【００６６】
レンズ支持体７は、キャリア８とレンズバレル４とを外周で嵌め合う構成にすることに限らず、キャリア８の内周にレンズバレルを配置するものであっても良い。
【図面の簡単な説明】
【００６７】
【図１】本発明の実施の形態に係るレンズ駆動装置における後側スプリングの内周側部とコイルとの接続部分を抜き出して示す斜視図であり、（ａ）は係合突部にコイルの一端を巻き付けた状態を示し、（ｂ）はコイルの一端部を導電性接着剤で後側スプリングの内周側部に接着した状態を示している。
【図２】本発明の実施の形態に係るレンズ支持体と、後側スプリングを抜き出して示す分解斜視図である。
【図３】本発明の実施の形態に係るレンズ支持体に後側スプリングを取付けた状態の斜視図である。
【図４】本発明の実施の形態に係るレンズ支持体と、前側スプリング及び後側スプリングを抜き出して示す分解斜視図である。
【図５】レンズ支持体におけるキャリアとレンズバレルとが嵌め合う前の状態を示す側面図である。
【図６】レンズ支持体の分解斜視図である。
【図７】（ａ）（ｂ）は、各々異なる方向から見たレンズ支持体の斜視図であり、（ｃ)（ｄ）は各々レンズバレルを異なる方向から見た斜視図である。
【図８】レンズ駆動装置にレンズバレルを組み付ける前の状態を示す斜視図である。
【図９】レンズ駆動装置の分解斜視図である。
【図１０】レンズ駆動装置の断面図である。
【符号の説明】
【００６８】
１      レンズ駆動装置
４      レンズバレル
７      レンズ支持体
９      前側スプリング
１１    後側スプリング
１５    コイル
１５ａ  コイルの一端部
２７    フランジ
４０    係合突部
４１    接着剤溜め用凹部
４６    係合孔
４７    接着部
４８    スリット
【図１】
2009080217.tif 000003
【図２】
2009080217.tif 000004
【図３】
2009080217.tif 000005
【図４】
2009080217.tif 000006
【図５】
2009080217.tif 000007
【図６】
2009080217.tif 000008
【図７】
2009080217.tif 000009
【図８】
2009080217.tif 000010
【図９】
2009080217.tif 000011
【図１０】
2009080217.tif 000012